(57)【要約】【課題】  回収ダクトの開口部の閉塞状態を維持すると共に、メダルが回収ダクトから漏れ出ることを防止する。【解決手段】  並設された複数のメダル遊技機に使用されるメダルＭを外部に排出するメダル排出用シュート１，…と、該各メダル排出用シュート１，…から排出されるメダルＭを搬送する回収機構部５とを備えたメダル回収装置において、回収機構部５を、その上面開口部９が各メダル排出用シュート１，…の排出口２の真下に位置した樋状の回収ダクト６と、該回収ダクト６に設けられたベルトコンベアと、回収ダクト６の上面開口部９を閉塞したカバー１５と、該カバー１５の上面において、回収ダクト６の両側壁８，８に跨って張架されたカバー１５の押さえ具２０とから構成する。【選択図】図１
2007029623.tif 000002
【特許請求の範囲】
【請求項１】
並設された複数のメダル遊技機に使用されるメダル（Ｍ）を外部に排出するメダル排出用シュート（１，…）と、該各メダル排出用シュート（１，…）から排出されるメダル（Ｍ）を搬送する回収機構部（５）とを備えたメダル回収装置において、
回収機構部（５）は、その上面開口部（９）が各メダル排出用シュート（１，…）の排出口（２）の真下に位置した樋状の回収ダクト（６）と、該回収ダクト（６）に設けられたベルトコンベアと、回収ダクト（６）の上面開口部（９）を閉塞したカバー（１５）と、該カバー（１５）の上面において、回収ダクト（６）の両側壁（８，８）に跨って張架されたカバー（１５）の押さえ具（２０）とから構成されてなることを特徴とするメダル回収装置。
【請求項２】
上記押さえ具（２０）は、回収ダクト（６）の両側壁（８，８）に跨って該両側壁（８，８）の上縁部にそれぞれ係止する係止体（２１，２１）と、該両係止体（２１，２１）の間に設けられた弾性部材（２２）とを有してなることを特徴とする請求項１に記載のメダル回収装置。
【発明の詳細な説明】
【技術分野】
【０００１】
本発明は、メダル遊技機、例えばスロットマシンに使用されるメダルを回収するメダル回収装置に関する。
【背景技術】
【０００２】
従来のこの種のメダル回収装置は、並設された複数のメダル遊技機の内部に設けられたホッパーと、各メダル遊技機の後方に設置された回収機構部と、各ホッパー及び回収機構部間に配された伸縮自在のシュートとを備えているものが公知になっている（特許文献１）。該回収機構部は、シュートから排出されたメダルを搬送するための樋状の回収ダクトと、該回収ダクトの両端部に配置されたベルト車、及び、該両ベルト車に環状に掛け渡されたベルト（無端帯状体）を有するベルトコンベアとを備えている。
【０００３】
そして、シュートの長さを適宜調整して、ホッパーから排出されるメダルを、シュートを介して回収ダクトの上面開口部から投入し、ベルトコンベアによって回収ダクトの上流側から下流側に搬送している。
【０００４】
ところが、上記特許文献１の場合、回収ダクトの上面開口部は閉塞されていないので、回収ダクトにおいてメダルの詰まりが生じた場合、回収ダクトからメダルが溢れ出てしまう場合がある。
【特許文献１】実開平５−６４９７７号公報
【０００５】
一方、上記問題を解消すべく、回収ダクトの上面開口部に、該上面開口部を閉塞するカバーを載置すると共に、該カバーの端部をシュートの排出口の一側部で押さえて、メダルが回収ダクトから漏れ出ることを防止しようとするものも知られている。
【発明の開示】
【発明が解決しようとする課題】
【０００６】
しかしながら、従来の上記メダル回収装置は、シュートの排出口の一側部でカバーの端部を押さえてカバーの閉塞状態を維持しようとしているため、回収ダクトにおいて、滞留したメダルがカバーを押し上げてしまい、カバーとシュートとの間に隙間が形成されて、該隙間からメダルが漏れ出てしまうという問題がある。
【０００７】
ところで、上記問題を解消すべく、回収ダクトの両側壁の上縁部に対してカバーの側縁部を係脱可能にすることが考えられるが、回収ダクトに滞留したメダルによってカバーの一部が押し上げられて回収ダクトから離脱した場合、滞留したメダルが下流側に徐々に搬送された後もカバーの一部が離脱したままの状態になるため、メダルが回収ダクトに再度滞留した際には、カバーと回収ダクトとの隙間からメダルが漏れ出たり、その隙間がしだいに大きくなってカバーが外れたりする場合があるという問題もある。
【０００８】
そこで、本発明は上記問題点に鑑み、回収ダクトの開口部の閉塞状態を維持すると共に、メダルが回収ダクトから漏れ出ることを防止できるメダルの回収装置を提供することを目的とする。
【課題を解決するための手段】
【０００９】
上記課題を解決するために、本発明に係るメダルの回収装置は、並設された複数のメダル遊技機に使用されるメダルＭを外部に排出するメダル排出用シュート１，…と、該各メダル排出用シュート１，…から排出されるメダルＭを搬送する回収機構部５とを備えたメダル回収装置において、回収機構部５は、その上面開口部９が各メダル排出用シュート１，…の排出口２の真下に位置した樋状の回収ダクト６と、該回収ダクト６に設けられたベルトコンベアと、回収ダクト６の上面開口部９を閉塞したカバー１５と、該カバー１５の上面において、回収ダクト６の両側壁８，８に跨って張架されたカバー１５の押さえ具２０とから構成されてなるものである。
【００１０】
したがって、押さえ具２０が回収ダクト６の両側壁８，８に跨って張架することで、押さえ具２０の両端部には、互いに引き合う力が持続的に作用することになり、カバー１５の上方から幅方向に亘って押圧力が継続的に付与されるようになり、その結果、回収ダクト６の上面開口部９の閉塞状態が維持される。即ち、回収ダクト６に滞留したメダルＭによって、カバー１５が押さえ具２０の付勢力に抗して押し上げられたとしても、滞留したメダルＭが下流側に徐々に搬送されるにしたがって、カバー１５を元の状態（閉塞状態）に戻すことができる。
【００１１】
一方、ベルト７の交換や点検に際しても、押さえ具２０の両端部を回収ダクト６の両側壁８，８の上縁部から離脱させるだけでよく、カバー１５の取り外しが簡単に行えて迅速に対処できる。
【００１２】
また、上記押さえ具２０を、回収ダクト６の両側壁８，８に跨って該両側壁８，８の上縁部にそれぞれ係止する係止体２１，２１と、該両係止体２１，２１の間に設けられた弾性部材２２とで構成するのが好ましい。
【発明の効果】
【００１３】
以上説明したように、本発明によれば、回収ダクトの両側縁部に張架された押さえ具の張力を利用して、カバーによる回収ダクトの上面開口部の閉塞状態を維持すると共に、メダルが回収ダクトから漏れ出ることを防止するようにしたので、回収ダクトやカバーの構造を変更することなく、簡単且つ安価なメダル回収装置を提供できる効果がある。
【発明を実施するための最良の形態】
【００１４】
以下、本発明の一実施形態に係るメダル回収装置につき、添付図面を参照しつつ説明する。
本実施形態のメダル回収装置の構成は、図１及び図２に示すように、メダル遊技機の内部にそれぞれ設けられたメダル排出用シュート１，…と、該各メダル排出用シュート１の排出口２から排出されるメダルＭの回収可能な位置に設置された回収機構部５とから構成されている。なお、図示していないが、後述する回収ダクト６の下流側には、メダルＭの洗浄装置が設けられている。
【００１５】
回収機構部５は、メダル排出用シュート１から排出されたメダルＭを搬送するための回収ダクト６と、該回収ダクト６の両端部に配置されたベルト車（図示せず）、及び、該両ベルト車に環状に掛け渡されたベルト７（無端帯状体）を有するベルトコンベアと、回収ダクト６の上面開口部９を閉塞したカバー１５と、該カバー１５の上面において、回収ダクト６の両側壁８，８に跨って張架されたカバー１５の押さえ具２０とを具備している。
【００１６】
回収ダクト６は、左右の両側壁８，８と、該両側壁８，８の上縁部により形成された上面開口部９と、両側壁８，８に沿って外側に突出して形成された鍔部１０，１０と、両側壁８，８の上側内面に長手方向に沿って形成された凸状ガイド１１，１１と、両側壁８，８の間の上部及び下部にそれぞれ設けられた上支持板１２及び下支持板１３と、両側壁部の下縁部により形成された下面開口部１４とを有している。そして、回収ダクト６の上面開口部９は、各メダル排出用シュート１の排出口２の真下に位置している。
【００１７】
凸状ガイド１１，１１は、メダルＭが回収ダクト６の左右の側壁８，８に当接することによって自立し、ベルト７と上支持板１２との間に介入することを防止すると共に、ベルト車への噛み込みを防止する。要するに、ベルト７においてメダルＭが倒伏した状態で円滑に搬送する。
【００１８】
上支持板１２は、メダルＭの重量とベルト７の重量とを支え、ベルト７を円滑に回動させるべくベルト７の全長に亘って設けられており、その上面には、ベルト７の動きが円滑になるように、メダルＭを搬送する方向（長手方向）に沿って複数の突条部１２ａ，１２ａが形成されている。
【００１９】
下支持板１３は、回収ダクト６の両側壁８，８の直立状態を補強する役目を担っている。
【００２０】
そして、両支持板１２，１３によって、回収ダクト６の上部及び下部が略２：１となるように仕切られており、上支持板１２より上側のスペースが、メダルＭの搬送スペースとベルト７の往路となり、下支持板１３より下側のスペースがベルト７の復路となっている。
【００２１】
カバー１５は、合成樹脂製の透明又は半透明の薄板からなり、カバー１５の左右の両側縁部が回収ダクト６の両鍔部１０，１０の上面に接離可能に当接して、上面開口部９を閉塞する。
【００２２】
押さえ具２０は、その両端部に回収ダクト６の両鍔部１０，１０に係合する係止体２１，２１が設けられると共に、該両係止体２１，２１の間に、引張りばねからなる弾性部材２２が設けられている。この押さえ具２０によって、カバー１５の閉塞状態を維持させている。即ち、ベルト７に溜まったメダルＭがカバー１５を押し上げて、回収ダクト６の両鍔部１０，１０から離脱して浮き上がるのを防止している。
【００２３】
なお、前記実施形態の場合、引張りばねを利用した押さえ具２０を例にとって説明したが、包帯留めのように、平板状又は棒状のゴムと、該ゴムの両端部に取り付けられた係止体とから構成してもよく、バッグの掛け金具のように、環状の係止体と、ハンドルとを備えるようにしてもよい。また、回収ダクト６の周囲に伸縮可能な面ファスナを捲回するようにしてもよい。さらに、回収ダクト６の両側壁８，８の上縁部に複数の突起を形成して、対向する両突起に輪ゴムを引っ掛けるようにしてもよい。
【００２４】
また、押さえ具２０の係止体２１を、回収ダクト６の両側壁８，８の下縁部に係止させて、復路側に位置するベルト７の弛みを防止するようにしてもよい。
【図面の簡単な説明】
【００２５】
【図１】本発明の一実施形態に係るメダル回収装置を示す概略斜視図である。
【図２】図１の回収機構部の断面図である。
【符号の説明】
【００２６】
１…メダル排出用シュート、２…排出口、５…回収機構部、６…回収ダクト、７…ベルト、８…側壁、９…上面開口部、１０…鍔部、１１…凸状ガイド、１２…上支持板、１２ａ…突条部、１３…下支持板、１４…下面開口部、１５…カバー、２０…押さえ具、２１…係止体、２２…弾性部材
【図１】
2007029623.tif 000003
【図２】
2007029623.tif 000004